(57)【要約】【課題】短時間で効率的に、自端末に適した基地局への接続が可能となり、ユーザの端末使用の用途や目的にあったパフォーマンスを提供できる移動通信端末装置、無線接続方法および移動通信システムを提供する。【解決手段】移動通信端末１は、自端末のユーザ操作がない状態（アイドル状態）が一定時間以上継続した場合に、情報履歴管理サーバ３の接続履歴データベース４にアクセスするとともに、ＧＰＳ通信部４０で検出した位置またはエリア情報を送出し、自端末の位置またはエリアに関連付けられた接続情報６を取得し、接続情報６と自端末が動作開始を受け付けたアプリケーションあるいは端末自体の設定とに基づき、基地局に無線接続する。【選択図】図１
2014007735.tif 000002
【特許請求の範囲】
【請求項１】
参照ファイルを保持するサーバに接続されている基地局との無線接続が可能な移動通信端末装置であって、
自端末装置の位置またはエリアを検出する検出部を備え、
自端末装置のアイドル状態が一定時間以上継続した場合に、前記サーバの参照ファイルにアクセスするとともに、前記検出部で検出した位置またはエリア情報を送出し、自端末装置の位置またはエリアに関連付けられた接続情報を取得し、該接続情報と自端末装置が動作開始を受け付けたアプリケーションあるいは自端末装置の設定とに基づき、前記基地局に無線接続することを特徴とする移動通信端末装置。
【請求項２】
前記基地局は、自端末装置と同一の無線通信ネットワーク上あるいは自端末装置と異なる無線通信ネットワーク上の基地局であることを特徴とする請求項１に記載の移動通信端末装置。
【請求項３】
前記基地局は、自端末装置と同一の無線通信方式あるいは自端末装置と異なる無線通信方式を採用する基地局であることを特徴とする請求項１または２に記載の移動通信端末装置。
【請求項４】
前記接続情報は、スループット、音声遅延、呼接続速度、セキュリティレベル、通信事業者のうち、少なくとも１つ以上を含むことを特徴とする請求項１乃至３のいずれか１項に記載の移動通信端末装置。
【請求項５】
参照ファイルを保持するサーバに接続されている基地局との無線接続が可能な移動通信端末装置の無線接続方法であって、
自端末装置の位置またはエリアを検出するステップと、
自端末装置のアイドル状態が一定時間以上継続した場合に、前記サーバの参照ファイルにアクセスするとともに、検出した前記位置または前記エリアの情報を送出し、自端末装置の位置またはエリアに関連付けられた接続情報を取得し、該接続情報と自端末装置が動作開始を受け付けたアプリケーションあるいは自端末装置の設定とに基づき、前記基地局に無線接続するステップと、
を含むことを特徴とする無線接続方法。
【請求項６】
複数の無線通信方式に対応した移動通信端末装置と、複数の基地局と、情報履歴管理サーバとを含む移動通信システムであって、
前記移動通信端末装置は、自端末装置の位置またはエリア情報を検出する検出部を備え、
アイドル状態が一定時間以上継続した場合に、前記情報履歴管理サーバの参照ファイルにアクセスするとともに、前記検出部で検出した位置情報を送出し、該位置情報に関連付けられた接続情報を取得し、該接続情報と自端末装置が動作開始を受け付けたアプリケーションあるいは自端末装置の設定とに基づき、前記基地局に無線接続し、
前記複数の基地局は、通信回線によりネットワークを介して情報履歴管理サーバに接続され、
前記情報履歴管理サーバは、前記移動通信端末装置が前記複数の基地局と接続した際の履歴を残すとともに接続時に前記移動通信端末装置が検出した前記位置情報および前記接続情報を格納するデータベースを含むことを特徴とする移動通信システム。
【発明の詳細な説明】
【技術分野】
【０００１】
本発明は、複数の無線通信方式で送受信可能な移動通信端末装置、無線接続方法および移動通信システムに関する。
【背景技術】
【０００２】
通常、移動通信端末は、何れか１つの無線通信方式に対応するように構成されるが、安定した高機能のサービスを受けること等の理由から、複数の無線通信方式で送受信可能な移動通信端末がある。
【０００３】
このような複数の無線通信方式（例えば、ＬＴＥ：Long Term Evolution、ＷｉＭＡＸ
（登録商標）：Worldwide Interoperability for Microwave Access、ＷｉＦｉ（登録商
標）：Wireless Fidelity等）に対応した移動通信端末では、一定時間ごと、あるいは何
らかのイベントをトリガとして、現在使用している無線通信方式による通信の通信品質、スループットなどを検出し、通信品質、スループットなどが一定の閾値を下回った場合に、無線通信方式を切り替えて、データの送受信を行う基地局の再選択を行うのが一般的である。
【０００４】
なお、特許文献１には、複数の基地局の内、特定の基地局と選択的に通信可能な複数の通信部を備え、各々の基地局の通信品質を取得して、各々の通信部を通信品質が所定の規定値を超えた基地局に接続させる携帯端末および通信システムが開示されている。
【先行技術文献】
【特許文献】
【０００５】
【特許文献１】特開２００９−２６７８７６号公報
【発明の概要】
【発明が解決しようとする課題】
【０００６】
ところが、従来の移動通信端末では、基地局の再選択を行う場合に、短時間で効率的に、自端末に適した基地局に接続して、ユーザの端末使用の用途や目的にあったパフォーマンスを提供することができないという問題がある。
【０００７】
例えば、移動通信端末の周辺に基地局が３つ（基地局Ａ／Ｂ／Ｃ）存在し、ユーザの端末使用の用途（アプリケーション）や目的（要求：スループット、音声遅延、呼の接続速度など）を満足する基地局がＣのみとする。なお、移動通信端末は、ユーザの端末使用の用途や目的を満たすかどうか判断し、自動的に無線通信方式を選択し、基地局を再選択する機能を有するものとする。その場合であっても、移動通信端末は、ブロードキャストチャネルの受信電界強度が最も強い基地局Ａ、次いで基地局Ｂを選択して接続する。移動通信端末は、接続して通信した上でないと、基地局がユーザの端末使用の用途や目的を満たすかどうかを判断できないため、移動通信端末が基地局ＡおよびＢとの接続中は、ユーザにとってはいわゆる待ち時間となり、ユーザの端末使用の用途や目的をなかなか達成できない状態となる。
【０００８】
本発明は、このような問題点に鑑みてなされたものであり、本発明の目的は、短時間で効率的に、自端末に適した基地局への接続が可能となり、また、ユーザの端末使用の用途や目的にあったパフォーマンスを提供することができる移動通信端末装置、無線接続方法および移動通信システムを提供することにある。
【課題を解決するための手段】
【０００９】
上記目的を達成するため、本発明は、参照ファイルを保持するサーバに接続されている基地局との無線接続が可能な移動通信端末装置であって、自端末装置の位置またはエリアを検出する検出部を備え、自端末装置のアイドル状態が一定時間以上継続した場合に、前記サーバの参照ファイルにアクセスするとともに、前記検出部で検出した位置またはエリア情報を送出し、自端末装置の位置またはエリアに関連付けられた接続情報を取得し、該接続情報と自端末装置が動作開始を受け付けたアプリケーションあるいは自端末装置の設定とに基づき、前記基地局に無線接続することを特徴とする。
【００１０】
前記基地局は、自端末装置と同一の無線通信ネットワーク上あるいは自端末装置と異なる無線通信ネットワーク上の基地局であることが好ましい。
【００１１】
また、前記基地局は、自端末装置と同一の無線通信方式あるいは自端末装置と異なる無線通信方式を採用する基地局であることが好ましい。
【００１２】
また、前記接続情報は、スループット、音声遅延、呼接続速度、セキュリティレベル、通信事業者のうち、少なくとも１つ以上を含むことが好ましい。
【００１３】
また、本発明は、参照ファイルを保持するサーバに接続されている基地局との無線接続が可能な移動通信端末装置の無線接続方法であって、自端末装置の位置またはエリアを検出するステップと、自端末装置のアイドル状態が一定時間以上継続した場合に、前記サーバの参照ファイルにアクセスするとともに、検出した前記位置または前記エリアの情報を送出し、自端末装置の位置またはエリアに関連付けられた接続情報を取得し、該接続情報と自端末装置が動作開始を受け付けたアプリケーションあるいは自端末装置の設定とに基づき、前記基地局に無線接続するステップとを含むことを特徴とする。
【００１４】
また、本発明は、複数の無線通信方式に対応した移動通信端末装置と、複数の基地局と、情報履歴管理サーバとを含む移動通信システムであって、前記移動通信端末装置は、自端末装置の位置またはエリア情報を検出する検出部を備え、アイドル状態が一定時間以上継続した場合に、前記情報履歴管理サーバの参照ファイルにアクセスするとともに、前記検出部で検出した位置情報を送出し、該位置情報に関連付けられた接続情報を取得し、該接続情報と自端末装置が動作開始を受け付けたアプリケーションあるいは自端末装置の設定とに基づき、前記基地局に無線接続し、前記複数の基地局は、通信回線によりネットワークを介して情報履歴管理サーバに接続され、前記情報履歴管理サーバは、前記移動通信端末装置が前記複数の基地局と接続した際の履歴を残すとともに接続時に前記移動通信端末装置が検出した前記位置情報および前記接続情報を格納するデータベースを含むことを特徴とする。
【発明の効果】
【００１５】
本発明によれば、短時間で効率的に、自端末の現在位置やエリアに適した基地局への接続が可能となる。
【００１６】
また、本発明によれば、ユーザの端末使用の用途（アプリケーション）や目的に合ったパフォーマンスを提供することができる。
【図面の簡単な説明】
【００１７】
【図１】本発明の実施形態に係る移動通信端末が適用される移動通信システムの概略構成図である。
【図２】本発明の実施の形態に係る移動通信端末の構成例を示す図である。
【図３】本発明の実施の形態に係る移動通信端末の動作を説明するフローチャートである。
【発明を実施するための形態】
【００１８】
本発明の実施の形態について図面を参照して説明する。図１は、本発明の実施形態に係る移動通信端末が適用される移動通信システムの概略構成図である。図１に示す移動通信システムは、複数の無線通信方式に対応した移動通信端末１、２と、基地局Ａ、Ｂ、Ｃと、情報履歴管理サーバ３を備えている。基地局Ａ、Ｂ、Ｃは、通信回線によりネットワーク（図示せず）を介して情報履歴管理サーバ３に接続されており、情報履歴管理サーバ３は、位置情報５と接続情報６からなる接続履歴データベース４（参照ファイル）を格納している。なお、図１においては、説明を簡単にするために、基地局Ａ、Ｂ、Ｃ、移動通信端末１、２のみを示しているが、実際には、その他の基地局および移動通信端末も備えることがあるものとする。また、ユーザの端末使用の用途（アプリケーション）や目的（要求：スループット、音声遅延、呼の接続速度など）に最も適した基地局はＣとする。
【００１９】
接続履歴データベース４は、移動通信端末が基地局と接続した際の履歴を残すものであり、接続時に移動通信端末が測定した緯度・経度（位置情報５）および緯度・経度に応じた接続結果（接続情報６）からなる。
【００２０】
図２は、本発明の実施の形態に係る移動通信端末の構成例を示す図である。図２に示す移動通信端末１は、第１の無線通信方式により基地局と通信を行う無線通信部１０と、第２の無線通信方式により基地局と通信を行う無線通信部２０と、端末全体を制御する制御部３０と、自端末の位置またはエリアを検出するＧＰＳ通信部４０（検出部）と、各種データ値を記憶する記憶部５０を備えている。移動通信端末２も同様の構成である。なお、図２では、２つの無線通信部を備えて２つの無線通信方式に対応しているが、無線通信部を増やして、２つ以上の無線通信方式に対応するようにしてもよい。
【００２１】
制御部３０は、自端末のユーザ操作がない状態（アイドル状態）が一定時間以上継続した場合に、情報履歴管理サーバ３の接続履歴データベース４にアクセスするとともに、ＧＰＳ通信部４０で検出した位置またはエリア情報を送出し、自端末の位置またはエリアに関連付けられた接続情報６を取得し、接続情報６と自端末が動作開始を受け付けたアプリケーションあるいは端末自体の設定とに基づき、基地局に無線接続する。
【００２２】
記憶部５０は、自端末が作成した、自端末に接続可能な基地局のリストを保持する。
【００２３】
次に、図１の移動通信システムの概略構成図を参照しつつ、図３のフローチャートに基づいて、本発明の実施の形態に係る移動通信端末の動作を説明する。
【００２４】
移動通信端末１は、ユーザ操作がない状態（アイドル状態）が一定時間以上継続する場合は、情報履歴データ（移動通信端末１の位置情報、接続情報）を情報履歴管理サーバ３へ送信して接続履歴データベース４を更新する（Ｓ１０１）。
【００２５】
移動通信端末１は、基地局から送信されたブロードキャストチャネル（ＢＣＨ）の無線信号を捕捉した上で、受信電界強度や基地局の混み具合を判断して接続可能な基地局のリストを作成する（Ｓ１０２）。
【００２６】
移動通信端末１は、基地局リストの作成後、情報履歴管理サーバ３が保持する接続履歴データベース４（参照ファイル）を参照する（図１（１））。
【００２７】
接続履歴データベース４は、接続時に移動通信端末１が備えるＧＰＳ通信部４０で測定した緯度・経度（位置情報５）および緯度・経度に応じた接続結果（接続情報６）からなる。
【００２８】
位置情報５は、緯度・経度の１点で保持すると、データ量が膨大になるため、２点の緯度・経度、いわゆる面、または３点の緯度・経度・高度、いわゆる立体として保持するようにしても良い。
【００２９】
移動通信端末１は、接続履歴データベース４の位置情報５を参照して、現在の自端末の位置がどの点、あるいは面、立体に対応するのか判断し、自端末の位置またはエリアに関連付けられた基地局の接続情報６を参照する（図１（２））。
【００３０】
接続情報６は、基地局毎に分かれており、接続時の履歴として必要な情報が記録されている。図１の接続情報６にはスループット、音声遅延、呼接続速度が記述されているが、これに限定される必要はなく、ユーザの要求内容を満たす判断材料、例えば、セキュリティレベル、通信事業者（キャリア、ネットワークオペレータ）等を、必要に応じて追加する。
【００３１】
移動通信端末１は、ユーザの要求内容を、移動通信端末１で使用しているアプリケーションあるいは端末自体の設定などから判断し、ユーザの要求内容を満たすパラメータを判断して、ユーザの使用用途・目的に最も適した基地局Ｃを決定し、またはユーザの使用用途・目的に最も適した基地局のリストを作成する（Ｓ１０３、図１（３））。
【００３２】
ユーザから接続要求があると、移動通信端末１は、決定した基地局Ｃに接続し（Ｓ１０４、図１（４））、ユーザの使用用途・目的を満たす基地局Ｃでユーザ使用を開始する（Ｓ１０５）。
【００３３】
移動通信端末１は、ユーザ使用が終了し、ユーザ操作がない状態（アイドル状態）が一定時間以上継続した場合は、情報履歴データ（移動通信端末１の位置情報、接続情報）を情報履歴管理サーバへ送信して接続履歴データベースを更新する（Ｓ１０６）。
【００３４】
以上より、移動通信端末１は、ユーザの要求内容を満たす基地局Ｃに、できるだけ時間をかけることなく、効率的に接続することが可能となる。
【００３５】
報履歴管理サーバ３は、対象となる移動通信端末１の接続履歴データベース４の更新だけでなく、他の移動通信端末２の接続履歴データベース４の更新も行うものとする（図１（５））。その更新は、移動通信端末と情報履歴管理サーバ３との接続あるいは移動通信端末同士の接続によるイベントにより、または定期的に実施するものとする。
【００３６】
なお、上述した実施の形態において、基地局は、移動通信端末１と同一の無線通信ネットワーク上の基地局でもよいし、移動通信端末１と異なる無線通信ネットワーク上の基地局でもよい。
【００３７】
また、基地局は、移動通信端末１と同一の無線通信方式を採用する基地局でもよいし、移動通信端末１と異なる無線通信方式を採用する基地局でもよい。
【符号の説明】
【００３８】
１、２  移動通信端末
３  情報履歴管理サーバ
４  接続履歴データベース
５  位置情報
６  接続情報
１０、２０  無線通信部
３０  制御部
４０  ＧＰＳ通信部（検出部）
５０  記憶部
Ａ、Ｂ、Ｃ  基地局
【図１】
2014007735.tif 000003
【図２】
2014007735.tif 000004
【図３】
2014007735.tif 000005